(57)【要約】      （修正有）【課題】蛍光ランプの交換を容易に確実におこなうことができ、かつ、エレベータの振動等によっても蛍光ランプが破損することのないエレベータ用照明装置を提供する。【解決手段】エレベータかご室に設けられ、蛍光ランプ７と点灯回路３とを装着し、対向位置に透過板９を着脱自在に固定した反射板２を有するエレベータ用照明装置であって、蛍光ランプ７のガラス管８に弾性リング１１を装着し、弾性リング１１は係止部を反射板２の係止孔に係合させる。【選択図】図１
2008143664.tif 000002
【特許請求の範囲】
【請求項１】
エレベータかご室に取付けられ、蛍光ランプと点灯回路とを装着し、かつ、対向位置に透過板を着脱自在に固定した反射板を有するエレベータ用照明装置であって、
前記蛍光ランプのガラス管には弾性リングが装着され、該弾性リングは係止部が前記反射板の係止孔に係合していることを特徴とするエレベータ用照明装置。
【請求項２】
前記蛍光ランプのガラス管の管軸方向の両端外表面には電極端子が形成され、この電極端子がランプホルダの金属ソケットにより導通かつ保持されていることにより該蛍光ランプが前記エレベータかご室に固定していることを特徴とする請求項１記載のエレベータ用照明装置。
【請求項３】
前記弾性リングは、前記蛍光ランプのガラス管が装着された状態で前記反射板と前記透過板とにより挟圧されて弾性変形していることを特徴とする請求項１記載のエレベータ用照明装置。
【請求項４】
前記弾性リングは、前記蛍光ランプのガラス管が装着された状態で前記反射板から前記透光板が分離された際に、前記係止部により前記反射板に前記蛍光ランプを宙つり状態で保持することを特徴とする請求項１記載のエレベータ用照明装置。
【請求項５】
前記弾性リングは、支持部の長さが前記反射板の板厚よりも長く形成されていることを特徴とする請求項１乃至３のいずれか１項に記載のエレベータ用照明装置。
【発明の詳細な説明】
【技術分野】
【０００１】
本発明は、エレベータのかご室内を照明するために、エレベータに設けられているエレベータ用照明装置に関する。
【背景技術】
【０００２】
通常、エレベータは、かご室内を適切な照度で照明するために、かご室の内部にエレベータ用照明装置が設けられている。
【０００３】
例えば、図１０にエレベータのかご室１の構成を示し、また、図１１にかご室の天井部を下から見た平面図を示したように、かご室４１は、床部４２と、この床部４２の上の四方を囲む側板部４３と、この側板部４３の上端部に設置された天井部４４とを備えている。
【０００４】
天井部４４の下面にはエレベータ用照明装置を構成する照明箱４５が取り付けられ、この照明箱４５は下面に大きな開口部４６を有し、この開口部４６に光透過性の例えば合成樹脂で形成された照明板４７が設けられている。
【０００５】
また天井部４４の下面には、照明板４７を照光する光源として複数の直管型の蛍光ランプ５０がそれぞれソケット５１を介して二列に均等的に並列するように取り付けられている。これら蛍光ランプ５０により照明板４７が照射され、その光がかご室４１内に拡散してかご室４１の内部が照明される。
【０００６】
なお、かご室４１の正面には出入口５５が形成され、この出入口５５にその開閉用のドア５６ａ、５６ｂが設けられている。また、出入口５５の上部側に設けられて幕板５７が設けられ、側板部４３の下部に巾木５８が設けられている。
【０００７】
エレベータ用照明装置は、かっては、１基に４灯〜１０灯の一般照明用の熱陰極蛍光ランプが天井面に配置されていたが、この蛍光ランプの寿命は、約６０００時間程度で寿命が短く、また、フィラメント電極を用いた構造である。したがって、振動や衝撃によって、エレベータの点検作業時にランプが暗くなったり、あるいは、フィラメントが突然断線して不点灯になることが想定される。そのため、ランプにちらつきが発生するなど、寿命を予兆できるような現象がおきていなくてもランプ交換をして、次回の定期点検までの間に照明（不点灯）が生じる確率を出来る限り低減する努力をしていた。
【０００８】
なお、照明装置の保守作業時には、エレベータ全体を必ず停止させなければならず、エレベータ利用者にとってはその間は使用ができず、大変不便であった。
【０００９】
そのため、均一な照度分布を得ることができ、また、ランプの交換回数を削減して保守費用を抑えるころができる冷陰極蛍光ランプ（ＣＣＦＬ）が用いられるようになってきている。（例えば、特許文献１を参照）
また、図１２に斜視図を示したように、エレベータ用照明装置は構造的には、天板６１に反射板６２がねじ止めされ、反射板６２に点灯回路６３や蛍光ランプ６４が取り付けられている。蛍光ランプ６４のガラス管６５がコ字、またはＵ字形ランプを反射板６２に固定する際は、蛍光ランプ６４の支持は電極側６６がゴムホルダ６７により支持され、ガラス管６５は複数個の固定型のフック６８により支持されている。また、透過板６９は反射板６２に着脱自在に取り付けられている。
【特許文献１】特開２００４−２０３６１１号公報
【発明の開示】
【発明が解決しようとする課題】
【００１０】
上述のように、エレベータ用照明装置のランプが寿命になった際、エレベータ保守員が蛍光ランプか、あるいは照明装置全体を交換する必要がある。
【００１１】
光源に冷陰極蛍光ランプを用いた場合は、冷陰極蛍光ランプは、電極部分を半田で固定するか、ハーネスを使用し、コネクタ等で照明装置と一体化されている。そのため、ランプ単品での交換は困難であった。そのため、ランプの交換を簡単にするために、ハーネス接続された構造の蛍光ランプから、一般照明用蛍光灯のような両端の電極端子部を、直接にソケットに嵌合させる構造の冷陰極蛍光ランプにした形態が用いられている。
【００１２】
ただし、電極端子部を直接にソケットに嵌合させる構造であっても、照明装置に用いる冷陰極蛍光ランプは、液晶ＴＶやパソコンモニタのバックライト光源として採用されている冷陰極蛍光ランプと同じ種類のもので、ガラス管の外径がφ３〜φ４前後の細管でありながら、長さは例えば５００ｍｍ〜１０００ｍｍと非常に細長い。そのため、ランプ自体の自重による撓みが生じる。したがって、ランプ交換や設置の際に、ランプの取り付けを両端同時に行うことが非常に困難である。
【００１３】
つまり、一般照明用蛍光灯であれば、ガラス管の管径もφ１０ｍｍ〜φ３０ｍｍ程度の太管である。したがって、例え管長が１０００ｍｍを超える長ものの、どちらか一方の端部を持って、片方ずつソケットに挿入勘合させる交換作業をおこなっても、ランプが自重での撓みは生じない。そのため、ランプの交換は比較的簡単に（ランプの割れなど気にしないで）作業ができた。しかし、ガラス管が細管の冷陰極蛍光ランプを光源として採用する場合、撓みが生じやすいので、ランプ交換作業時の割れ防止を考慮した照明装置の構造が必要となっている。
【００１４】
また、エレベータ照明ユニットをエレベータかごに取り付ける際や、交換する際は、保守員がエレベータのかご室の天井で作業を行う。他にも、保守員がエレベータのかご室の天井で行う作業は、例えば、吊り下げワイヤーの安全点検作業の際や、エレベータの乗客が外の景色が見えるガラス窓エレベータでの、外壁窓の清掃の際等があげられる。
【００１５】
すなわち、図１３（ａ）に示したように、保守員が天井７０に乗る前は、天井７０に保守員による加重が加わっていないので、天井７０には撓みが生じていない。したがって、天井７０に取り付けられているエレベータ用照明装置７１にも撓みが生じない。
【００１６】
一方、図１３（ｂ）に示したように、保守員がエレベータのかご室の天井７０で作業を行う際は、かご室の天井７０に保守員の荷重が加わる。天井７０に加わった荷重により、天井７０に取り付けられたエレベータ照明装置７１にも荷重が加わる。その結果、エレベータ照明装置７１を構成している反射板２に撓みが発生する。このとき、蛍光ランプ６４を固定型のフック６８等で反射板２に固定されていると、発生した撓みを逃がすことができず、蛍光ランプ６４に撓みが発生し、蛍光ランプ６４が割れる等の損傷する可能性があった。
【００１７】
また、ランプが長尺になればなるほど、エレベータが昇降する際、特に、加速時と停止前の減速時に重力や慣性力の影響を受け、ランプの中央部が上下に振動して、照明装置のケースに衝突をする場合が発生し、衝突によるランプ割れが生じる恐れもある。
【００１８】
本発明はこれらの事情にもとづいてなされたもので、蛍光ランプの交換を容易に確実におこなうことができ、かつ、エレベータの振動等によっても蛍光ランプが破損することのないエレベータ用照明装置を提供することを目的としている。
【課題を解決するための手段】
【００１９】
本発明のエレベータ用照明装置の実施の形態に係る第１の特徴は、エレベータかご室に取付けられ、蛍光ランプと点灯回路とを装着し、かつ、対向位置に透過板を着脱自在に固定した反射板を有するエレベータ用照明装置であって、
前記蛍光ランプのガラス管には弾性リングが装着され、該弾性リングは係止部が前記反射板の係止孔に係合していることである。
【００２０】
また、本発明のエレベータ用照明装置の実施の形態に係る第２の特徴は、前記蛍光ランプのガラス管の管軸方向の両端外表面には電極端子が形成され、この電極端子がランプホルダの金属ソケットにより導通かつ保持されていることにより該蛍光ランプが前記エレベータかご室に固定していることである。
【００２１】
また、本発明のエレベータ用照明装置の実施の形態に係る第３の特徴は、前記弾性リングは、前記蛍光ランプのガラス管が装着された状態で前記反射板と前記透過板とにより挟圧されて弾性変形していることである。
【００２２】
また、本発明のエレベータ用照明装置の実施の形態に係る第４の特徴は、前記弾性リングは、前記蛍光ランプのガラス管が装着された状態で前記反射板から前記透光板が分離された際に、前記係止部により前記反射板に前記蛍光ランプを宙つり状態で保持することである。
【００２３】
また、本発明のエレベータ用照明装置の実施の形態に係る第５の特徴は、前記弾性リングは、支持部の長さが前記反射板の板厚よりも長く形成されていることである。
【発明の効果】
【００２４】
本発明によれば、ランプの交換を容易に確実におこなうことができ、かつ、エレベータの振動等によってもランプが破損することのないエレベータ用照明装置を提供することができる。
【発明を実施するための最良の形態】
【００２５】
以下、本発明のエレベータ用照明装置について、実施をするための最良の形態を図面を参照して説明する。なお、エレベータ用照明装置が取り付けられているエレベータのかご室の構成は、背景技術の項で説明したものと同様であるので、その説明は省略する。
【００２６】
図１は、エレベータ用照明装置の一部分解斜視図で、図２は、エレベータ照明装置の一部断面側面図である。エレベータ用照明装置は、エレベータのかご室の天板１にプラスチック製の反射板２がねじ等による固定手段２ａにより固定されている。
【００２７】
反射板２の下面側（天板１と反対側）には、点灯回路３と金属板４に設けられたランプホルダ５の金属ソケット５ａに電極端子部６を弾性的挟持された冷陰極蛍光ランプ７が配設されている。
【００２８】
冷陰極蛍光ランプ７は、ガラス管８の外径がφ３〜φ４前後の細管で、長さは例えば５００ｍｍ〜１０００ｍｍと非常に細長い細管である。また、冷陰極蛍光ランプ７は、放電容器であるのガラス管８の両端部に封止された一対の冷陰極と、ガラス管８の内面に塗布された蛍光体と、ガラス管８の内部に封入された放電媒体とを備え、陰極が加熱されることなく発光するため、点灯・消灯の回数によって寿命が左右されることがない。したがって、寿命は発光時間に依存して決まるという特性をもっている。また、この冷陰極蛍光ランプ７は、電圧を印加すると即点灯し、発光までの時間的な遅れがないことも特徴である。
【００２９】
したがって、冷陰極蛍光ランプ７を光源として用いれば、その冷陰極蛍光ランプ７の管径が小さくてすむため、照明装置の厚さを薄形に構成することができる。それにより、かご室内の高さ空間を高め、かご室内のスペースを有効に利用することができる。
【００３０】
さらに、冷陰極蛍光ランプ７は、通常、一般照明用の熱陰極蛍光ランプ７に比べて格段に長寿命であり、このためその交換期間を大幅に延ばすことができ、保守が容易になる。そして、冷陰極蛍光ランプ７（以下、単に蛍光ランプ７という）は、一般照明用の熱陰極蛍光ランプ７のような点灯時における不規則な点滅動作がなく、即点灯が可能であり、このため点灯の瞬間からかご室の内部を所定の明るさで照明することができる。
【００３１】
また、蛍光ランプ７の電極端子部６を弾性的に挟持する金属ソケット５ａの形状は、円形の他に扇形、Ｒ形、三角形、四角形、多角形等に形成されていてもよい。
【００３２】
反射板２に設けられた点灯回路３や蛍光ランプ７は、反射板２に対向して透過板９が反射板２に、着脱自在に取り付けられることにより、その内部に点灯回路３や蛍光ランプ７が内蔵されて、エレベータ用照明装置を形成している。
【００３３】
図３（ａ）に説明図を示したように、ランプホルダ５は、蛍光ランプ７を上下方向に着脱する方式と、図３（ｂ）に説明図を示したように、横方向に着脱する方式がある。蛍光ランプ７は、直管状の場合、両端の電極が電気的に導通するようにランプホルダ５の金属ソケット５ａにより電気的に接触して支持されている。
【００３４】
図１および図２に示したように、蛍光ランプ７のガラス管８の途中は、弾性リング１１により保持されている。弾性リング１１はガラス管８の長さに応じて少なくとも１本以上の所定本数が配置されている。
【００３５】
図４（ａ）に側面図を示したように、弾性リング１１は、プラスチック樹脂あるいはシリコンゴム等の成型樹脂による弾性材によって形成されている。形状的には、側面が錨状の形状で、上部に反射板２への係止部１２、下部にリング状のランプ挿入孔１３を有するランプ保持部１４が形成され、係止部１２とランプ保持部１４とは支持部１５により接続されて一体化している。なお、支持部１５の横断面はランプ挿入孔１３よりも小さいので、ランプ挿入孔１３の内部を移動自由に挿通するように係合している。
【００３６】
支持部１５の長さａは、反射板２の板厚ｂと比較すると、ａ＞ｂの関係で、支持部１５の長さａが、反射板２の板厚ｂよりも大きくなるように設定されている。
【００３７】
すなわち、弾性リング１１はランプ保持部１４のランプ挿入孔１３に蛍光ランプ７のガラス管８を挿入し、係止部１２が反射板２に孔設されている係止孔１６に挿入されて係止する。係止部１２は頂部１２ａが係止孔１６の幅よりも幅が狭く形成されているが、底部１２ｂは係止孔１６の幅よりも幅が広く形成されている。従って、図４（ｂ）に側面図を示したように、係止孔１６に係止部１２を挿入する際は、係止部１２は進入深さに応じて徐々に弾性変形し、底部１２ｂが係止孔１６を通過すると弾性により形状が復元し、係止部１２の底部１２ｂが係止孔１６に係止する。
【００３８】
また、弾性リング１１の支持部１５の長さａと反射板２の板厚ｂとの関係は、ａ＞ｂに設定されている。すなわち、蛍光ランプ７の電極端子部６がランプホルダ５に保持された状態では、支持部１５は反射板２の板厚の下面とは離間している。一方、ランプ保持部１４は、下端側が透光板に押圧されて透光板に密接して弾性変形し、上端が反射板２に密接して弾性変形し、ランプ挿入孔１３に蛍光ランプ７を挿入した状態を固定している。
【００３９】
なお、弾性リング１１は、図５に示したように、ランプ保持部１４の下端側（支持部１５と反対側）に延在部１４ａを設けた形状でもよい。その場合、延在部１４ａの弾性変形により、振動等に対する一層の緩衝効果が得られる。また、支持部１５は、ストレート形状でなく中央に、移動をスムースにするためにくびれ部１５ａを設けてもよい。
【００４０】
また、図６に説明図を示したように、１本の弾性リング１１を用いる場合は、弾性リング１１の係止部１２の横断面大きさを反射板２の係止孔１６と略同じにしてもよい。その場合は、蛍光ランプ７のガラス管８を弾性リング１１のランプ挿入孔１３に装着した状態で、係止部１２を係止孔１６に挿入し、９０度回転させ、係止部１２を係止孔１６が交差するようにして固定する。それにより回転後は係止部１２が係止孔１６からは、係止部１２が係止孔１６と同位置になるように回転しない限り、外れないようになる。
【００４１】
なお、この場合、１つの弾性リング１１で、１本又は複数本の蛍光ランプ７の固定を行うことができる。
【００４２】
上述のそれぞれの蛍光ランプ７の保持構造により、エレベータから受ける上下振動から弾性リング１１の弾性により蛍光ランプ７を保護することができる。また、常に蛍光ランプ７の水平が保たれるので、蛍光ランプ７内の水銀の偏りを防ぎ、蛍光ランプ７の寿命を延ばすこともできる。
【００４３】
次に、蛍光ランプ７の装着・交換時について説明する。
【００４４】
図７（ａ）に側面図を示したように、エレベータ用照明装置に装着する蛍光ランプ７は、あらかじめ、ガラス管８の所定位置が弾性リング１１のランプ挿入孔１３に挿入されている。その状態で、弾性リング１１の各係止部１２を反射板２の対応する係止孔１６にそれぞれ挿入して係止する。それにより、弾性リング１１によりガラス管８が反射板２に保持された状態にする。
【００４５】
その状態で、一方の蛍光ランプ７の電極端子部６をランプホルダ５に装着する。その際、ガラス管８は、途中の複数個所が弾性リング１１により保持されているので、破損することはない。さらに、他方の蛍光ランプ７の電極端子部６をランプホルダ５に装着する。それにより、図７（ｂ）に側面図を示したように、蛍光ランプ７は両電極端子部６がランプホルダ５に装着され、透過板９が反射板２に装着されることによりエレベータ用照明装置が形成される。
【００４６】
なお、蛍光ランプ７の取り外しについては、上述の蛍光ランプ７の取り付けの逆の手順によりおこなうことができる。
【００４７】
つまり、保守員が蛍光ランプ７を交換をする際、透光板９を外しても、弾性リング１１により蛍光ランプ７が宙吊り状態で保持されるので、交換が容易になる。また、弾性リング１１が無い場合は、蛍光ランプ７がランプホルダ５に完全に固定されていない状態で、保守員が気づかずに手を離した場合、蛍光ランプ７が落下する危険性がある。しかし、本実施形態では、その場合でも弾性リング１１が蛍光ランプ７を宙吊り状態にしているため、蛍光ランプ７が落下する危険はない。しかも、蛍光ランプ７の電極端子部５ａが完全にランプホルダ５の金属ソケット５ａに固定されていなくても、透過板９を取り付けた際に、蛍光ランプ７は弾性リング１１により押されるため、それにより完全に蛍光ランプ７の電極端子部５ａがランプホルダ５の金属ソケット５ａに固定される。
【００４８】
次に、保守員がエレベータのかご室の天井で作業を行う際の、保守員による荷重の影響について説明する。
【００４９】
背景技術の項で、図１３（ｂ）により説明したように、保守員がエレベータのかご室の天井７０で作業を行う際は、かご室の天井７０に保守員の体重による荷重が加わる。天井７０に加わった荷重により、天井７０に取り付けられたエレベータ照明ユニットの反射板２にも荷重が加わり、反射板２に撓みが発生する。
【００５０】
図８に側面図を示したように、本実施の形態によるエレベータ用照明装置は、保守員がエレベータのかご室の天井で作業を行う際は、かご室の天井の天板１に保守員の体重による荷重が加わっても、蛍光ランプ７のガラス管８は、途中の個所が弾性リング１１により保持されているので、反射板２が撓んでも、その撓み量を弾性リング１１が弾性変形して吸収する。それにより、蛍光ランプ７は撓まないので、破損することはない。
【００５１】
次に、図９に示したように、ガラス管８がＵ字状等の屈曲管における、弾性リング１１の配置について説明する。
【００５２】
ガラス管８がＵ字状等の屈曲管に対しては、弾性リング１１の取り付け位置の配置は、平行するガラス管８の部位の非対称な位置とする。すなわち、一方は、電極端子部６からＡの距離の位置に取り付け、他方は、電極端子部６からＢの距離の位置に取り付ける。
【００５３】
この弾性リング１１の取り付け位置の配置によって、反射板２が撓んで、それによりＵ字状等の屈曲管の２つの直管部に負荷が生じた場合、屈曲管の一体構造の作用と、弾性リング１１の相互の取り付け位置の相違による作用が相乗して、屈曲管への撓み防止作用が機能する。すなわち、ガラス管８の屈曲管がＵ字状等の一体構造であるので、屈曲管の２つの直管部は、それぞれが、擬似的に電極端子部６からＡの距離とＢの距離との２箇所で弾性リング１１に保持されているのに準じた作用が得られる。つまり、２つの直管部は、それぞれが２箇所で擬似的に弾性リング１１で支持されている状態になり、撓みを少なくすることができる。その結果、蛍光ランプ７の撓みが少なくなり、蛍光ランプ７が破損しにくくなる。
【００５４】
なお、上述の実施の形態では、蛍光ランプとして、ガラス管の両端に電極を封止している内部電極型の冷陰極蛍光ランプ（ＣＣＦＬ）を用いたが、内部電極型の冷陰極蛍光ランプ（ＣＣＦＬ）の代わりに、封止したガラス管の両端部の外表面に導電体層（金属板・膜・半田メッキ）を電極として設け、ガラス管の外表面の外部電極に高周波電圧を印加して点灯させる誘電体バリア放電蛍光ランプ（ＥＥＦＬ）を用いることもできる。
【００５５】
誘電体バリア放電蛍光ランプの場合は、外部電極をランプホルダの金属ソケットにより導通、かつ、保持されていることにより、蛍光ランプがエレベータかご室に固定されている。
【００５６】
なお、本発明は上記の実施形態のそのままに限定されるものではなく、実施段階ではその要旨を逸脱しない範囲で構成要素を変形して具体化できる。また、上記の実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５７】
【図１】本発明の実施の形態を示すエレベータ用照明装置の一部分解斜視図。
【図２】本発明の実施の形態を示すエレベータ照明装置の一部断面側面図。
【図３】（ａ）および（ｂ）は、本発明の実施の形態を示すエレベータ用照明装置のランプホルでの着脱する方式の説明図。
【図４】（ａ）および（ｂ）は、本発明の実施の形態を示すエレベータ用照明装置の弾性リングの係止状態を示す側面図。
【図５】本発明の実施の形態を示すエレベータ用照明装置の弾性リングの変形例。
【図６】本発明の実施の形態を示すエレベータ用照明装置の弾性リングの係止の一例の説明図。
【図７】（ａ）および（ｂ）は、本発明の実施の形態を示すエレベータ用照明装置の取付けの説明図。
【図８】本発明の実施の形態を示すエレベータ用照明装置への外力の説明図。
【図９】本発明の実施の形態を示すエレベータ用照明装置の弾性リングの配置の変形例。
【図１０】エレベータかご室とエレベータ用照明装置との一般的な配置例の説明図。
【図１１】エレベータかご室内でのエレベータ用照明装置の一般的な配置例の説明図。
【図１２】従来のエレベータ用照明装置の一部分解斜視図。
【図１３】（ａ）および（ｂ）は、従来のエレベータ用照明装置での天井に荷重が加わった際の対比図。
【符号の説明】
【００５８】
１…天板、２…反射板、３…点灯回路、４…金属板、５…ランプホルダ、５ａ…金属ソケット、６…電極端子部、７…蛍光ランプ、８…ガラス管、９…透過板、１１…弾性リング、１２…係止部、１３…ランプ挿入孔、１４…ランプ保持部、１５…支持部、１６…係止孔
【図１】
2008143664.tif 000003
【図２】
2008143664.tif 000004
【図３】
2008143664.tif 000005
【図４】
2008143664.tif 000006
【図５】
2008143664.tif 000007
【図６】
2008143664.tif 000008
【図７】
2008143664.tif 000009
【図８】
2008143664.tif 000010
【図９】
2008143664.tif 000011
【図１０】
2008143664.tif 000012
【図１１】
2008143664.tif 000013
【図１２】
2008143664.tif 000014
【図１３】
2008143664.tif 000015